(57)【要約】【課題】配管系に取り付けられている状態で、逆止弁の、弁体のクリアランス、最大リフト量を調整可能とする。【解決手段】配管に固定された弁座１８に調整ナット２６を介して弁体ガイド２２をねじ結合する。一方、配管３２に対して弁体リフト押さえ３４をねじ結合し、さらに弁体リフト押さえ３４と、弁体ガイド２２をねじ結合する。弁体リフト押さえ３４を回して上下位置を変更すると、その先端と、弁座１８の先端の間隔が変更され、弁体の最大リフト量が調整される。弁体ガイド２２の内周面は、段付きとなっており、弁体ガイドを移動させることによって大径部５０と小径部５２を選択的に弁体１６と対向する位置とすることができ、これにより、弁体と弁体ガイド内周のクリアランスの選択を行う。【選択図】図１
2006057714.tif 000002
【特許請求の範囲】
【請求項１】
配管系の途中に設けられる逆止弁であって、
上流側配管に連通する流路を有する弁座と、
前記弁座の流路の開口を開閉して流れの制御を行う弁体と、
前記弁座と対向する端面を有し、下流側配管に対して軸方向の位置を調整可能に固定され、前記端面と前記弁座により弁体の軸方向の移動範囲を画定する弁体リフト押さえと、
弁体の軸方向移動のガイドを行う内周面を有する弁体ガイドと、
を有し、
前記弁体リフト押さえの位置調整は、上流側、下流側の配管を固定した状態で行うことができ、
前記弁体リフト押さえの位置調整により弁体の最大リフト量を調整する、逆止弁。
【請求項２】
請求項１に記載の逆止弁であって、
前記弁体ガイドは、その内周面が、内径が異なる、軸方向に並んだ少なくとも二つの部分を含み、前記弁座と前記弁体に対し軸方向の位置を調整可能に固定され、
前記弁体ガイドの位置調整は、上流側、下流側の配管を固定した状態で行うことができ、さらに前記弁体リフト押さえと前記弁体ガイドのそれぞれの位置調整は互いに独立して行うことができ、
弁体ガイドの位置調整により、弁体ガイドと弁体のクリアランスを調整する、逆止弁。
【請求項３】
配管系の途中に設けられる逆止弁であって、
上流側配管に連通する流路を有する弁座と、
前記弁座の流路の開口を開閉して流れの制御を行う弁体と、
前記弁座と対向する端面を有し、前記端面と前記弁座により弁体の軸方向の移動範囲を画定する弁体リフト押さえと、
弁体の軸方向移動のガイドを行う内周面を有し、当該内周面は、内径が異なる、軸方向に並んだ少なくとも二つの部分を含み、前記弁座と前記弁体に対し軸方向の位置を調整可能に固定される、弁体ガイドと、
を有し、
前記弁体ガイドのそれぞれの位置調整は、上流側、下流側の配管を固定した状態で行うことができ、
前記弁体ガイドの位置調整により、弁体ガイドと弁体のクリアランスを調整する、逆止弁。
【請求項４】
請求項２または３に記載の逆止弁であって、前記弁体ガイドの内周面は、内径が軸方向に連続的に変化する面である、逆止弁。
【発明の詳細な説明】
【技術分野】
【０００１】
本発明は、流体の流れる配管設備に設けられ、流体の順方向の流れを許容し、逆方向の流れを阻止する逆止弁に関する。
【背景技術】
【０００２】
配管設備には、そこを流れる流体を順方向のみに流すために逆止弁を用いることがある。逆止弁の広く普及しているタイプとして、ハウジングの中に弁体となるボールを収容し、ボールが流体の流れによって移動して、流路の開放、閉止を行うものがある。下記非特許文献１には、一般的な逆止弁の構造が示されている。
【０００３】
このボールと、ハウジングの内周面とのクリアランスは、これが広すぎるとボールががたつき、着座して流路を完全に閉止するまでに時間がかかり、適正なタイミングで閉止が行われず、一方狭すぎると、流路抵抗が増大して流量が減少してしまい、またスラリなど固体粒を含む流体が流れる場合には、その固体粒が隙間につまり、ボールの動きを阻害するという問題がある。最大リフト量についても、これが小さすぎるとボールと弁座の流路開口との距離が小さく、この部分で流路が狭くなって流量が減少してしまい、一方大きすぎると、ボールの移動距離が大きくなり、適切なタイミングで流路の閉止が行われなくなるという問題がある。
【０００４】
したがって、取り扱う流体の特性、運転条件に応じて、クリアランス、最大リフト量を決定する必要がある。条件が変わった場合には、一般的には、クリアランス、最大リフト量を変えた逆止弁と交換して対応している。
【０００５】
【非特許文献１】ポンプ概論編纂委員会著、「ポンプ概論」、第５版、日本工業出版株式会社、昭和５９年７月３１日、ｐ．１４４
【発明の開示】
【発明が解決しようとする課題】
【０００６】
取り扱う流体が頻繁に変わる場合、流体が変わるごとにその特性にあった逆止弁に交換するのは手間であり、また逆止弁を配管系から取り外すときに、配管内部に残留している流体も流れ出すので、作業性が悪い。
【０００７】
本発明により、配管系に取り付けたままの状態で、クリアランス、最大リフト量を調節可能な逆止弁が提供される。
【課題を解決するための手段】
【０００８】
本発明の逆止弁は、上流側配管に連通する流路を有する弁座と、前記弁座の流路の開口を開閉して流れの制御を行う弁体と、前記弁座と対向する端面を有し、下流側配管に対して軸方向の位置を調整可能に固定され、前記端面と前記弁座により弁体の軸方向の移動範囲を画定する弁体リフト押さえと、弁体の軸方向移動のガイドを行う内周面を有する弁体ガイドと、を有し、前記弁体リフト押さえの位置調整は、上流側、下流側の配管を固定した状態で行うことができ、前記弁体リフト押さえの位置調整により弁体の最大リフト量が調整される。
【０００９】
本発明の他の逆止弁は、上流側配管に連通する流路を有する弁座と、前記弁座の流路の開口を開閉して流れの制御を行う弁体と、前記弁座と対向する端面を有し、下流側配管に対して軸方向の位置を調整可能に固定され、前記端面と前記弁座により弁体の軸方向の移動範囲を画定する弁体リフト押さえと、軸方向の位置の内径が異なり、弁体の軸方向移動のガイドを行う内周面を有し、前記弁座と前記弁体に対し軸方向の位置を調整可能に固定される、弁体ガイドと、を有している。前記弁体リフト押さえと前記弁体ガイドのそれぞれの位置調整は、上流側、下流側の配管を固定した状態で、互いに独立して行うことができ、前記弁体リフト押さえの位置調整により弁体の最大リフト量が調整され、前記弁体ガイドの位置調整により、弁体ガイドと弁体のクリアランスが調整される。
【００１０】
本発明のさらに他の逆止弁は、上流側配管に連通する流路を有する弁座と、前記弁座の流路の開口を開閉して流れの制御を行う弁体と、前記弁座と対向する端面を有し、前記端面と前記弁座により弁体の軸方向の移動範囲を画定する弁体リフト押さえと、弁体の軸方向移動のガイドを行う内周面を有し、当該内周面は、内径が異なる、軸方向に並んだ少なくとも二つの部分を含み、前記弁座と前記弁体に対し軸方向の位置を調整可能に固定される、弁体ガイドと、を有し、前記弁体ガイドのそれぞれの位置調整は、上流側、下流側の配管を固定した状態で行うことができ、前記弁体ガイドの位置調整により、弁体ガイドと弁体のクリアランスが調整される。
【発明を実施するための最良の形態】
【００１１】
以下、本発明の実施形態を、図面に従って説明する。図１は、本実施形態にかかる逆止弁１０の断面図である。逆止弁１０は、クリアランスと最大リフト量を調整する機構を有しており、図においては中心線より左がリフト量、クリアランスとも大きい状態、右が小さい状態が示されている。弁座１２は、上流側の配管（図示せず）に固定されており、その内部には、配管やポンプケーシング内の流路などの配管系の流路と連通する流入流路１４が設けられている。流入流路１４は、弁座１２の弁体１６に対向する端面に開口し、弁体１６がこの開口を塞いだときに流路が閉止される。弁座１２は、配管に接続される基部１８と、基部から弁体１６に向かって延びる先端管部２０を有している。先端管部２０には、これの円筒外周面に接する内周面を有する略円筒形の弁体ガイド２２が接続されている。弁体ガイド２２は、弁座の先端管部２０に対し軸方向に摺動可能となっており、その摺動面にはシール２４が配置されている。
【００１２】
弁座の基部１８と弁体ガイド２２のそれぞれの外周には、雄ねじが切られており、これらのねじ部には、共通の調整ナット２６が結合されている。調整ナット２６には、ロックねじ２８が側面よりねじ込まれており、これによって弁座１２に対し調整ナット２６が固定される。弁体ガイド２２の外周のねじ部には、調整ナット２６に並んでロックナット３０が結合されており、これらのナット２６，３０にてダブルナットが構成され、調整ナット２６に対して弁体ガイド２２を任意の位置に固定することができる。
【００１３】
下流側の配管３２には、その外周面に雄ねじが切られ、弁体リフト押さえ３４の基部３５に切られた雌ねじとねじ係合している。配管３２の雄ねじには、弁体リフト押さえ３４に並んでロックナット３６がねじ係合されており、これらによりダブルナットが構成され、弁体リフト押さえ３４を配管３２に対し任意の位置に固定することができる。配管３２の先端外周面と、これに対向する弁体リフト押さえ３４の内周面は、相互に摺動する面となっており、シール３８が配置されている。弁体リフト押さえ３４は、弁体１６に向けて延びる先端管部４０を有している。先端管部４０には、その中心軸からずれた位置に流出流路４２が設けられている。先端管部４０の外周面は弁体ガイド２２の内周面に係合し、ここにシール４４が配置されている。弁体リフト押さえ３４は、先端管部４０を取り囲むように位置し、弁体ガイド２２の外周に切られた雄ねじに結合する雌ねじが切られた調整ねじ部４６を含む。弁体ガイド２２の雄ねじには、調整ねじ部４６に並んでロックナット４８が結合されており、調整ねじ部４６とロックナット４８によりダブルナットが構成され、弁体リフト押さえ３４と弁体ガイド２２を任意の相対位置にて固定することができる。
【００１４】
弁体ガイド２２の内周面は、段差が設けられ、大径部５０と小径部５２が形成されている。弁体ガイド２２は、調整ナット２６と弁体リフト押さえ３４を固定したままで軸方向に移動させることが可能であり、弁体１６に対向する内周面の位置を変えることができる。図の左側に示す状態では、弁体ガイド２２が下方に移動されて、大径部５０が弁体１６に対向する位置となっており、クリアランスが大きくなっている。図の右側に示す状態では、弁体ガイドが上方に移動された小径部５２が弁体１６に対向する位置となっており、クリアランスは小さい状態となっている。実際に弁体ガイド２２を動かすには、ロックナット３０，４８をゆるめ、弁体ガイド２２を回転させる。所望の位置まで動いたら、ロックナット３０，４８を締め、弁体ガイド２２を固定する。なお、本実施形態において、内周面の、異なる内径を有する部分は、大径部５０、小径部５２の二つであるが、段差を増やし、三つ以上の部分を設けることも可能である。
【００１５】
弁体リフト押さえ３４も、単独で、すなわち弁体ガイド２２を固定したままで、軸方向に移動させることができる。弁体リフト押さえ３４を移動させると、先端管部４０の、弁体１６に対向する端面の位置が変わる。この端面と、弁座１２の端面により弁体１６の移動範囲が定まり、最大リフト量が決定される。図の左側に示す状態では、弁体リフト押さえ３４が上方に移動され、最大リフト量が大きくなっている。図の右側に示す状態では、弁体リフト押さえ３４が下方に移動され、最大リフト量が小さくなっている。実際に弁体リフト押さえ３４を動かすには、ロックナット３６，４８をゆるめ弁体リフト押さえ３４を回して、所望の位置まで移動させる。所望の位置まで動いたらロックナット３６，４８を締めて、弁体リフト押さえ３４を固定する。
【００１６】
以上、説明したように、本実施形態の逆止弁１０は、配管系に取り付けた状態で最大リフト量、クリアランスが変更可能であり、さらに、これらは独立して調整することができる。
【００１７】
図２は、他の実施形態の逆止弁６０であり、図１の逆止弁１０に対して、弁体ガイド、特にその内周面の構成のみ異なっている。弁体ガイド６２の内周面は、階段状ではなく、テーパ状に形成されており、内径が連続的に変化する。言い換えれば、内径の異なる部分が多数存在することになる。このテーパ面６４の弁体１６の対向する位置の内径によりクリアランスが定まる。したがって、弁体ガイド６２の上下位置を調整することで、クリアランスを連続的に変化させることができる。
【００１８】
以上の実施形態においては、クリアランス、最大リフト量の両方を調整可能な弁の構造を示したが、いずれか一方のみ調整可能とすることもできる。例えば、クリアランスのみ調整可能とするのであれば、弁体リフト押さえ３４は、下流側配管３２にねじ結合等により直接固定する構成とすればよい。また、最大リフト量のみ調整可能とするのであれば、弁体ガイド２２を弁座１２にねじ結合などにより直接固定するか、またはこれらを一体に形成するかすればよい。
【図面の簡単な説明】
【００１９】
【図１】本実施形態の逆止弁の断面図である。
【図２】他の実施形態の逆止弁の断面図である。
【符号の説明】
【００２０】
１０，６０  逆止弁、１２  弁座、１６  弁体、２２，６２  弁体ガイド、２６  調整ナット、３４  弁体リフト押さえ、４６  調整ねじ部、５０  大径部、５２  小径部、６４  テーパ面。
【図１】
2006057714.tif 000003
【図２】
2006057714.tif 000004